(57)【特許請求の範囲】
【請求項１】
容器底部、容器側壁部、及び前記容器底部と前記容器側壁部とを繋ぐ湾曲した容器肩部を有する底付き円筒容器を被加工材とする底付き円筒容器の成形方法であって、
互いに中心軸が同軸上に配置される、
内パンチと、
前記内パンチの外周に沿って配置され、プレス面部の前記中心軸に直交する方向の外縁部にＲ状のパンチ肩部を有する環状の第１の外パンチと、
前記第１の外パンチの外周に沿って配置され、前記底付き円筒容器の容器開口端を押し込む環状の第２の外パンチと、
ダイ底部及び前記ダイ底部の外縁部に垂直に接続するダイ側壁部を有し、前記内パンチ、前記第１の外パンチ及び前記第２の外パンチに対向配置されるダイと、を用いて、
前記内パンチと前記ダイとで前記容器底部を狭持した状態で、かつ前記第１の外パンチの側壁部と前記ダイの前記ダイ側壁部とで前記容器開口端を拘束した状態で、前記第１の外パンチ及び前記第２の外パンチを前記ダイの前記ダイ底部に向かって相対移動させることで、前記容器肩部を増肉するとともに直角状に成形し、かつ前記容器側壁部を前記中心軸に沿った方向に直線状に成形する工程を有することを特徴とする底付き円筒容器の成形方法。
【請求項２】
前記第１の外パンチ及び前記第２の外パンチは、前記プレス面部に前記Ｒ状のパンチ肩部を介して連設する段差溝部が形成され、前記段差溝部の底面部で前記底付き円筒容器の容器開口端を押し込む単一の環状のパンチとして構成されることを特徴とする請求項１に記載の底付き円筒容器の成形方法。
【請求項３】
前記Ｒ状のパンチ肩部が前記容器肩部に接触するのと同時又はそれ以降に、前記第２の外パンチが前記容器開口端に当接する押し込むことを特徴とする請求項１又は２に記載の底付き円筒容器の成形方法。
【請求項４】
前記工程による成形後の前記底付き円筒容器の前記容器側壁部を板厚方向に増肉する後工程を有し、
前記後工程は、
互いに中心軸が同軸上に配置される、
増肉用内パンチと、
前記増肉用内パンチの外周に沿って配置される環状の増肉用外パンチと、
ダイ底部及び前記ダイ底部の外縁部に垂直に接続するダイ側壁部を有し、前記増肉用内パンチ及び前記増肉用外パンチに対向配置される増肉用ダイと、を用いて、
前記増肉用内パンチと前記増肉用ダイとで前記容器底部を狭持した状態で、前記増肉用内パンチと前記増肉用ダイの前記ダイ側壁部との隙間であって前記容器側壁部の板厚より大きい隙間に配置される前記増肉用外パンチを前記増肉用ダイの前記ダイ底部に向かって相対移動させることで、前記容器側壁部を据え込んで板厚方向に増肉することを特徴とする請求項１に記載の底付き円筒容器の成形方法。
【請求項５】
前記増肉用内パンチのパンチ肩部の形状が、前記第１工程における前記Ｒ状のパンチ肩部の形状と同等であることを特徴とする請求項４に記載の底付き円筒容器の成形方法。
【発明の詳細な説明】
【技術分野】
【０００１】
本発明は、底付き円筒容器の容器肩部を増肉するとともに直角状に成形し、かつ容器側壁部を直線状に成形する成形方法に関する。
【背景技術】
【０００２】
例えば自動車のオートマチックトランスミッションに用いられるドラムやハブ等のように回転してトルク伝達を行う部品の場合、底面部と底面部に垂直な側壁部とを繋ぐ肩部を直角状に成形し、伝達するトルクに耐えられるだけの十分な肉厚を有することが要求される。また、側壁部も十分な肉厚を有することが要求される。【０００３】
図１は、従来の成形方法における成形前の金型及び底付き円筒容器１１の状態を示す図である。従来の成形方法では、まず底付き円筒容器１１の容器底部１１ａを内パンチ１２とダイ１４で狭持する。続いて、内パンチ１２、外パンチ１３、及びダイ１４で囲まれた空間内にある容器側壁部１１ｂを、図２に示すように、外パンチ１３でダイ底部１４ａ側に押し込むことで、容器肩部１１ｃを増肉するとともに直角状に成形し、かつ容器側壁部１１ｂを直線状に成形する。
しかしながら、従来方法では、外パンチ１３で容器開口端１１ｄをダイ底部１４ａ側に押し込む途中で、図１に点線で示すように板厚方向に変形して、容器肩部１１ｃの内側が内パンチ１２のパンチ肩部から離れてしまうことがある。この場合、図２に示すように、容器肩部１１ｃの内側に、表面が折れ込んで重なるようにして形成される皺状の疵（本願では折れ込み疵と呼ぶ）１１ｄが発生するという問題がある。【０００４】
特許文献１には、折れ込み疵の発生を抑制する成形方法が開示されているが、この成形方法は、容器肩部を鈍角状に成形するものであり、容器肩部を直角状に成形するものではない。また、この成形方法では、容器側壁部が折曲する。
特許文献２には、加圧ローラを用いて容器肩部を直角状に増肉する成形方法が開示されているが、この成形方法には、加圧ローラ等の特殊な装置が必要となる。
特許文献３には、座屈による欠陥を防止するために、あらかじめカップ状に成形された中間品の縦壁をダイとパンチでしごき加工し、隅部内周近傍の縦壁に肉溜まりを形成させ、該肉溜まりをパンチで押圧して該肉溜まりの肉を隅部外周の角部に移動させることによって隅部外周の角出しを行う成形方法が開示されている。しかしながら、この成形方法では、角出しの前段において、しごき加工して肉溜まりを形成するという特殊な加工が必要となる。
特許文献４には、円筒カップの角部を増肉させ、底面と壁部を直角に成形する際に表面が重なった疵のない成形法を提供するために、押えパンチと押えパンチの外周状に配置されるとともに、前記押えパンチに対して相対的に軸心方向に移動可能な据え込みパンチとダイスを備える金型を用いて、深絞り成形したカップを押えパンチの上に置き、押えパンチ及び据え込みパンチを押し上げて成形する際に、押えパンチ及び据え込みパンチをそれぞれの全ストロークの０．５倍以上０．７倍以下まで押し（第１の工程）、引き続き、押えパンチのみを押えパンチの全ストロークの０．８倍以上０．９倍以下まで押し（第２の工程）、引き続き、押えパンチ及び据え込みパンチをそれぞれの全ストロークまで押込み（第３の工程）、成形する成形方法が開示されている。しかしながら、この成形方法では、押えパンチ及び据え込みパンチを第１〜第３の工程に移動させる必要があり、通常の複動プレス機では、３工程を要する。また、第１〜第３の工程を１つのプレス機にて連続して行うには、高価な複動サーボプレス機が必要である。
【先行技術文献】
【特許文献】
【０００５】
【特許文献１】特開２００１−４７１７５号公報
【特許文献２】特開２００７−２８９９８９号公報
【特許文献３】特開平９−３２７７４９号公報
【特許文献４】特開２０１４−９１１４６号公報
【発明の概要】
【発明が解決しようとする課題】
【０００６】
本発明は、上記事情に鑑みてなされたものであり、特殊な装置や前段に特殊な加工を必要とせずに、折れ込み疵の発生を抑制しながら、底付き円筒容器の容器肩部を増肉するとともに直角状に成形し、かつ容器側壁部を直線状に成形できるようにすることを目的とする。
【課題を解決するための手段】
【０００７】
上述の課題を解決するための本発明の要旨は以下のとおりである。
［１］  容器底部、容器側壁部、及び前記容器底部と前記容器側壁部とを繋ぐ湾曲した容器肩部を有する底付き円筒容器を被加工材とする底付き円筒容器の成形方法であって、
互いに中心軸が同軸上に配置される、
内パンチと、
前記内パンチの外周に沿って配置され、プレス面部の前記中心軸に直交する方向の外縁部にＲ状のパンチ肩部を有する環状の第１の外パンチと、
前記第１の外パンチの外周に沿って配置され、前記底付き円筒容器の容器開口端を押し込む環状の第２の外パンチと、
ダイ底部及び前記ダイ底部の外縁部に垂直に接続するダイ側壁部を有し、前記内パンチ、前記第１の外パンチ及び前記第２の外パンチに対向配置されるダイと、を用いて、
前記内パンチと前記ダイとで前記容器底部を狭持した状態で、かつ前記第１の外パンチの側壁部と前記ダイの前記ダイ側壁部とで前記容器開口端を拘束した状態で、前記第１の外パンチ及び前記第２の外パンチを前記ダイの前記ダイ底部に向かって相対移動させることで、前記容器肩部を増肉するとともに直角状に成形し、かつ前記容器側壁部を前記中心軸に沿った方向に直線状に成形する工程を有することを特徴とする底付き円筒容器の成形方法。
［２］  前記第１の外パンチ及び前記第２の外パンチは、前記プレス面部に前記Ｒ状のパンチ肩部を介して連設する段差溝部が形成され、前記段差溝部の底面部で前記底付き円筒容器の容器開口端を押し込むようにした一の環状のパンチとして構成されることを特徴とする［１］に記載の底付き円筒容器の成形方法。
［３］  前記Ｒ状のパンチ肩部が前記容器肩部に接触するのと同時又はそれ以降に、前記第２の外パンチが前記容器開口端に当接する押し込むことを特徴とする［１］又は［２］に記載の底付き円筒容器の成形方法。
［４］  前記工程による成形後の前記底付き円筒容器の前記容器側壁部を板厚方向に増肉する後工程を有し、
前記後工程は、
互いに中心軸が同軸上に配置される、
増肉用内パンチと、
前記増肉用内パンチの外周に沿って配置される環状の増肉用外パンチと、
ダイ底部及び前記ダイ底部の外縁部に垂直に接続するダイ側壁部を有し、前記増肉用内パンチ及び前記増肉用外パンチに対向配置される増肉用ダイと、を用いて、
前記増肉用内パンチと前記増肉用ダイとで前記容器底部を狭持した状態で、前記増肉用内パンチと前記増肉用ダイの前記ダイ側壁部との隙間であって前記容器側壁部の板厚より大きい隙間に配置される前記増肉用外パンチを前記増肉用ダイの前記ダイ底部に向かって相対移動させることで、前記容器側壁部を据え込んで板厚方向に増肉することを特徴とする［１］に記載の底付き円筒容器の成形方法。
［５］  前記増肉用内パンチのパンチ肩部の形状が、前記第１工程における前記Ｒ状のパンチ肩部の形状と同等であることを特徴とする［４］に記載の底付き円筒容器の成形方法。
【発明の効果】
【０００８】
本発明によれば、特殊な装置や前段に特殊な加工を必要とせずに、折れ込み疵の発生を抑制しながら、底付き円筒容器の容器肩部を増肉するとともに直角状に成形し、かつ容器側壁部を直線状に成形できる。
【図面の簡単な説明】
【０００９】
【図１】図１は、従来の成形方法における成形前の金型及び底付き円筒容器を示す断面図である。
【図２】図２は、従来の成形方法による成形後の金型及び底付き円筒容器を示す断面図である。
【図３】図３は、実施形態に係る第１工程の成形前の金型及び底付き円筒容器を示す断面図である。
【図４】図４は、実施形態に係る第１工程の成形中の金型及び底付き円筒容器を示す断面図である。
【図５】図５は、実施形態に係る第１工程の成形中の金型及び底付き円筒容器を示す断面図である。
【図６】図６は、実施形態に係る第１工程の成形中の金型及び底付き円筒容器を示す断面図である。
【図７】図７は、実施形態に係る第１工程の成形中の金型及び底付き円筒容器を示す断面図である。
【図８】図８は、実施形態に係る第１工程の成形後の金型及び底付き円筒容器を示す断面図である。
【図９】図９は、実施形態に係る第２工程の成形前の金型及び底付き円筒容器を示す断面図である。
【図１０】図１０は、実施形態に係る第２工程の成形中の金型及び底付き円筒容器を示す断面図である。
【図１１】図１１は、実施形態に係る第２工程の成形後の金型及び底付き円筒容器を示す断面図である。
【図１２】図１２は、比較例における成形前の金型及び底付き円筒容器を示す断面図である。
【図１３Ａ】図１３Ａは、比較例における成形中の金型及び底付き円筒容器を示す断面図である。
【図１３Ｂ】図１３Ｂは、比較例における成形中の金型及び底付き円筒容器を示す拡大断面図である。
【図１４Ａ】図１４Ａは、比較例における成形中の金型及び底付き円筒容器を示す断面図である。
【図１４Ｂ】図１４Ｂは、比較例における成形中の金型及び底付き円筒容器を示す拡大断面図である。
【図１５Ａ】図１５Ａは、比較例における成形後の金型及び底付き円筒容器を示す断面図である。
【図１５Ｂ】図１５Ｂは、比較例における成形後の金型及び底付き円筒容器を示す拡大断面図である。
【図１６】図１６は、変形例に係る第１工程の成形前の金型及び底付き円筒容器を示す断面図である。
【発明を実施するための形態】
【００１０】
以下、本発明を実施するための形態を、添付図面を参照しながら説明する。
本実施形態に係る底付き円筒容器の成形方法では、第１プレス金型を用いて、底付き円筒容器の容器肩部を増肉するとともに直角状に成形し、かつ容器側壁部を直線状に成形する第１工程と、第１工程後に、第２のプレス金型を用いて、容器側壁部を板厚方向に増肉する第２工程とを有する。
【００１１】
（第１工程）
図３は、実施形態に係る第１工程の成形前の金型（第１プレス金型）及び底付き円筒容器を示す断面図である。なお、第１プレス金型及び後述する第２プレス金型の側断面は軸対象であるため、中心軸から片側部分のみを示す。他の図面においても、同様である。
【００１２】
第１工程におけるプレス機の成形対象（被加工材）は、容器底部２１ａ、容器側壁部２１ｂ、及び容器底部２１ａと容器側壁部２１ｂとを繋ぐ湾曲した容器肩部２１ｃを有する底付き円筒容器２１である。被加工材である底付き円筒容器２１は、絞り加工により事前に成形されたものである。
【００１３】
第１プレス金型は、互いに中心軸２０が同軸上に配置される内パンチ２２、外パンチ２３、ノックアウト２４、及びダイ２５を有する。ダイ２５は固定式であり、他の要素２２〜２３は昇降機構により昇降移動させることができる。昇降機構には、油圧、サーボモータ等を用いることができる。また、内パンチ２２については、ダイ２５との間で容器底部２１ａを狭持できればよいので、ダイ２５方向に付勢力を与えるばね等を用いることができる。
【００１４】
内パンチ２２は、円柱状であり、ノックアウト２４及びダイ２５と対向する平面状のプレス面部２２ａと、外周面部２２ｂとを有する。
【００１５】
外パンチ２３は、環状に形成され、内パンチ２２の外周面部２２ｂに沿って配置される。外パンチ２３は、ダイ２５と対向する平面視環状の第１プレス面部２３ａと、外周面部２３ｂとを有する。第１プレス面部２３ａの中心軸２０と直交する径方向の外縁部には環状の段差溝部２３ｃが形成されている。段差溝部２３ｃは、周状の側壁部２３ｄと、側壁部２３ｄと直交する平面視環状の底面部（第２プレス面部と呼ぶ）２３ｅとを有する。側壁部２３ｄと第１プレス面部２３ａとは、Ｒ状のパンチ肩部２３ｆで繋がれる。段差溝部２３ｃの側壁部２３ｄの外径は、底付き円筒容器２１の容器側壁部２１ｂの内径と略同等である。
【００１６】
ノックアウト２４は、円柱状であり、第１プレス金型による成形後の底付き円筒容器２１を第１プレス金型から取り外すためのものであり、図略の機械式の駆動源により昇降可能な可動式である。
【００１７】
ダイ２５は、ダイ底部２５ａと、ダイ底部２５ａの外縁部に垂直に接続する環状のダイ側壁部２５ｂとを有する。ダイ底部２５ａの中心には、ノックアウト２４が配置される孔部２５ｃが形成されている。ダイ側壁部２５ｂの内径は、容器側壁部２１ｂの外径と略同等である。
【００１８】
以下、第１工程について説明する。
第１工程において、プレス機は、ダイ２５上に載置された底付き円筒容器２１に対して、内パンチ２２を下降させて容器底部２１ａを内パンチ２２とダイ２５とにより狭持し、この状態を維持しながら外パンチ２３を下降させる。
【００１９】
図３に示すように、外パンチ２３を下降させ、外パンチ２３の段差溝部２３ｃ内に底付き円筒容器２１の容器開口端２１ｄを進入させる。このとき、容器開口端２１ｄは、外パンチ２３の第２プレス面部２３ｅから離隔しており、段差溝部２３ｃ及びダイ側壁部２５ｂによって中心軸２０に直交する方向から拘束される。
図４に示すように、外パンチ２３をさらに下降させると、パンチ肩部２３ｆが容器肩部２１ｃに接触し、容器肩部２１ｃ及び容器側壁部２１ｂを下方に変形させる。なお、容器底部２１ａを内パンチ２２とダイ２５とにより予め狭持しておくと説明したが、パンチ肩部２３ｆが容器肩部２１ｃに接触するときに容器底部２１ａが狭持されればよい。すなわち、パンチ肩部２３ｆが容器肩部２１ｃに接触するのと同時又はその直前に、容器底部２１ａを内パンチ２２とダイ２５とにより狭持するようなタイミングとしてもよい。
【００２０】
図５に示すように、外パンチ２３をさらに下降させると、段差溝部２３ｃの第２プレス面部２３ｅが容器開口端２１ｄに当接し、第２プレス面部２３ｅにて容器開口端２１ｄを押さえた状態で容器肩部２１ｃ及び容器側壁部２１ｂを下方に変形させることとなる。すなわち、パンチ肩部２３ｆが容器肩部２１ｃに接触するのと同時又はそれ以降に、段差溝部２３ｃの第２プレス面部２３ｅが容器開口端２１ｄに当接して押し込むタイミングとなっている。
【００２１】
図６及び図７に示すように、外パンチ２３をさらに下降させると、容器肩部２１ｃはダイ底部２５ａ及びダイ側壁部２５ｂの境界であるダイ角部２５ｄに向かって徐々に押し込まれ、容器底部２１ａのうち容器肩部２１ｃ側の部分が増肉される。この際、パンチ肩部２３ｆと底付き円筒容器２１の接触範囲が外パンチ２３の第１プレス面部２３ａの方向に拡がるため、パンチ肩部２３ｆにて底付き円筒容器２１に折れ込み疵が発生するのを防止できる。言い換えると、容器側壁部２１ｂの板厚方向の変形を拘束しながら、かつパンチ肩部２３ｆを容器肩部２１ｃに密着させながら、容器側壁部２１ｂ、容器肩部２１ｃ、及び容器底部２１ａを成形するので、容器肩部２１ｃの内側に折れ込み疵が発生することを抑制できる。
【００２２】
図７に示す状態から、外パンチ２３をさらに下降させる。この際、外パンチ２３の第２プレス面部２３ｅにて容器側壁部２１ｂを押し込むことに加えて、容器底部２１ａにおいて増肉された容器肩部２１ｃ側の部分を第１プレス面部２３ａ及びパンチ肩部２３ｆで圧下することで、図８に示すように、容器底部２１ａの増肉部分をダイ角部２５ｄの空間に材料流動させ、容器肩部２１ｃを増肉するとともに直角状に成形する。
【００２３】
以上の第１工程により、容器肩部２１ｃを増肉するとともに直角状に成形し、かつ容器側壁部２１ｂを中心軸２０に沿った方向に直線状に形成することができる。第１工程による成形後、プレス機は、内パンチ２２、外パンチ２３、及びノックアウト２４を上昇させ、底付き円筒容器２１をダイ２５から取り外す。
【００２４】
（第２工程）
図９は、実施形態に係る第２工程の成形前の金型（第２プレス金型）及び底付き円筒容器を示す断面図である。
第２工程におけるプレス機の成形対象（被加工材）は、第１工程による成形後の底付き円筒容器であり、以下では、第１工程による成形後の底付き円筒容器の符号を３１とし、底付き円筒容器３１の各部を容器底部３１ａ、容器側壁部３１ｂ、容器肩部３１ｃ、容器開口端３１ｄと記す。
【００２５】
第２プレス金型は、互いに中心軸３０が同軸上に配置される内パンチ３２（増肉用内パンチ）、外パンチ３３（増肉用外パンチ）、ノックアウト３４、及びダイ３５（増肉用ダイ）を有する。ダイ３５は固定式であり、他の要素３２〜３３は昇降機構により昇降移動させることができる。昇降機構には、油圧、サーボモータ等を用いることができる。また、内パンチ３２については、ダイ３５との間で容器底部３１ａを狭持できればよいので、ダイ３５方向に付勢力を与えるばね等を用いることができる。
【００２６】
内パンチ３２は、円柱状であり、ノックアウト３４及びダイ３５と対向する平面状のプレス面部３２ａと、外周面部３２ｂと、平面部３２ａと外周面部３２ｂとを繋ぐ内パンチ肩部３２ｃとを有する。内パンチ３２の外周面部３２ｂの外径は、底付き円筒容器３１の容器側壁部３１ｂの内径と略同等である。また、内パンチ肩部３２ｃの形状は、第１工程で用いた外パンチ２３のパンチ肩部２３ｆの形状と略同等である。
【００２７】
外パンチ３３は、環状に形成され、内パンチ３２の外周面部３２ｂに沿って配置される。外パンチ３３は、ダイ３５と対向する平面視環状のプレス面部３３ａを有する。外パンチ３３の厚み（中心軸３０に直交する方向の厚み）は、容器側壁部３１ｂの板厚Ｔより大きい。
【００２８】
ノックアウト３４は、円柱状であり、第２プレス金型による成形後の底付き円筒容器３１を第２プレス金型から取り外すためのものであり、図略の機械式の駆動源により昇降可能な可動式である。
【００２９】
ダイ３５は、ダイ底部３５ａと、ダイ底部３５ａの外縁部に垂直に接続する環状のダイ側壁部３５ｂとを有する。ダイ底部３５ａの中心には、ノックアウト３４が配置される孔部３５ｃが形成されている。ダイ側壁部３５ｂの内径は、容器側壁部３１ｂを増肉させるために容器側壁部３１ｂの外径より大きくなっている。すなわち、容器側壁部３１ｂとダイ側壁部３５ｂとの間に隙間が形成される。ダイ側壁部３５ｂと内パンチ３２との間隔Ｓ１は、容器側壁部３１ｂの板厚Ｔより大きく、この隙間Ｓ１に外パンチ３３は配置される。
【００３０】
以下、第２工程について説明する。
第２工程において、プレス機は、ダイ３５上に載置された底付き円筒容器３１に対して、内パンチ３２を下降させて容器底部３１ａを内パンチ３２とダイ３５とにより狭持し、この状態を維持しながら外パンチ３３を下降させる。
【００３１】
図１０及び図１１に示すように、外パンチ３３を下降させ、内パンチ３２、外パンチ３３、及びダイ３５で囲まれた空間内にて容器側壁部３１ｂを据え込んで板厚方向に増肉する。
【００３２】
この際、第１工程にて容器肩部３１ｃが内パンチ肩部３２ｃに接触する形状に成形されていることに加えて直角状に成形されているので、第２工程の途中で容器肩部３１ｃが内パンチ肩部３２ｃから離れることがない。そのため、容器肩部３１ｃの内側に折れ込み疵が発生することを抑制できる。
【００３３】
以上の第２工程により、容器側壁部３１ｂを板厚方向に増肉することができる。第２工程による成形後、プレス機は、内パンチ３２、外パンチ３３、及びノックアウト３４を上昇させ、底付き円筒容器３１をダイ３５から取り外す。
【００３４】
比較例として、図１２に示すように、容器肩部を直角状に成形していない状態で、第２工程を実施する場合を説明する。なお、底付き円筒容器の符号を４１とし、底付き円筒容器４１の各部を容器底部４１ａ、容器側壁部４１ｂ、容器肩部４１ｃ、容器開口端４１ｄと記す。
この場合、第２工程の途中で、図１３Ａ、図１３Ｂに示すように、内パンチ肩部３２ｃと容器肩部４１ｃとの間に隙間Ｓ２が生じる。そして、この隙間Ｓ２に、図１４Ａ、図１４Ｂ、図１５Ａ及び図１５Ｂに示すように、底付き円筒容器４１の素材が張り出し、容器肩部４１ｃの内側に折れ込み疵４１ｅが発生する。したがって、第１工程では、容器肩部４１ｃが直角状に成形されるまで増肉処理を実施する必要がある。
【００３５】
底付き円筒容器２１には、鋼、アルミニウム、胴等の金属、若しくは、これらの合金等、塑性加工が可能な公知の各種の材料を用いることができる。
また、底付き円筒容器２１は絞り加工により事前に成形されると説明したが、例えば第１工程の前工程として、第１プレス金型の例えばダイ２５を利用して、平板の素材から底付き円筒容器２１を成形するようにしてもよい。
【００３６】
以上、本発明を種々の実施形態と共に説明したが、本発明はこれらの実施形態にのみ限定されるものではなく、本発明の範囲内で変更等が可能である。
（変形例１）
上述の実施形態では、第１プレス金型において、外パンチ２３が、プレス面部２３ａにＲ状のパンチ肩部２３ｆを介して連設する段差溝部２３ｃが形成され、段差溝部２３ｃの底面部２３ｅで底付き円筒容器２１の容器開口端２１ｄを押し込む単一の環状のパンチとして構成される例を説明したが、本発明はこれに限るものではない。図１６に示すように、内パンチ２２の外周に沿って配置され、プレス面部２３ａの中心軸２０に直交する方向の外縁部にＲ状のパンチ肩部２３ｆを有する環状の第１の外パンチ２３Ｉと、第１の外パンチ２３Ｉの外周に沿って配置され、底付き円筒容器２１の容器開口端２１ｄを押し込むための環状の第２の外パンチ２３Ｏとに分割するような形態でもよい。ただし、外パンチ２３を一のパンチとして構成する方が、昇降機構が一つ済むことからも好適である。
【００３７】
（変形例２）
上述の実施形態では、第１工程において、内パンチ２２、ノックアウト２４及びダイ２５を固定した状態で、外パンチ２３を下降させることで、容器肩部２１ｃを増肉しながら直角状に成形したが、本発明はこれに限るものではない。すなわち、第１工程において、外パンチ２３を固定し、内パンチ２２、ノックアウト２４及びダイ２５を上昇させることにより、容器肩部２１ｃを増肉しながら直角状に成形してもよい。また、外パンチ２３を下降させながら、内パンチ２２、ノックアウト２４及びダイ２５を上昇させることにより、容器肩部２１ｃを増肉しながら直角状に成形してもよい。
【００３８】
（変形例３）
上述の実施形態では、第２工程において、内パンチ３２、ノックアウト３４及びダイ３５を固定した状態で、外パンチ３３を下降させることで、容器側壁部２１ｂを増肉したが、本発明はこれに限るものではない。すなわち、第２工程において、外パンチ３３を固定した状態で、内パンチ３２、ノックアウト３４及びダイ３５を上昇させることで、容器側壁部２１ｂを増肉してもよい。また、外パンチ３３を下降させながら、内パンチ３２、ノックアウト３４及びダイ３５を上昇させることで、容器側壁部２１ｂを増肉してもよい。
【００３９】
（変形例４）
上述の実施形態において、各工具の上下を反対にしてもよい。また、上述の実施形態では、ノックアウト２４、３４を設けたが、ノックアウト２４、３４は省略することもできる。この場合、ダイ２５の孔部２５ａを省略して、容器底部２１ａの全体をダイ２５で支持してもよい。また、ダイ３５の孔部３５ｃを省略して、容器底部３１ａの全体をダイ３５で支持してもよい。第１工程後又は第２工程後の底付き円筒容器は、例えば、引き上げ機を用いてダイ２５、３５から取り外してもよい。
【産業上の利用可能性】
【００４０】
本発明は、例えば自動車のオートマチックトランスミッションに用いられるドラムやハブ等のように回転してトルク伝達を行う部品となる底付き円筒容器を成形するのに利用することができる。
【図１】
0006024833.tif 000002
【図２】
0006024833.tif 000003
【図３】
0006024833.tif 000004
【図４】
0006024833.tif 000005
【図５】
0006024833.tif 000006
【図６】
0006024833.tif 000007
【図７】
0006024833.tif 000008
【図８】
0006024833.tif 000009
【図９】
0006024833.tif 000010
【図１０】
0006024833.tif 000011
【図１１】
0006024833.tif 000012
【図１２】
0006024833.tif 000013
【図１３Ａ】
0006024833.tif 000014
【図１３Ｂ】
0006024833.tif 000015
【図１４Ａ】
0006024833.tif 000016
【図１４Ｂ】
0006024833.tif 000017
【図１５Ａ】
0006024833.tif 000018
【図１５Ｂ】
0006024833.tif 000019
【図１６】
0006024833.tif 000020